(57)【要約】【課題】くぎ、ビスの使用を禁止されている賃貸マンションや賃貸アパートにおいて、十分な積載強度を確保しつつ、室内既設構造物の長押、鴨居、柱、壁面、窓枠等を傷つけることなく取付け取外し可能な棚を提供する。【解決手段】室内の水平部を有する既設構造物の長押、鴨居、付鴨居、カーテンレール、窓枠等を棚の受台として、棚の上面を天井上部からの支柱に介してボルトよる押圧手段と、滑動防止の為の係止部材や粘着性テープによる固着で構成され室内既設構造物の長押、鴨居、柱、壁面、窓枠等をくぎ、ビスで傷つけることなく棚を取付け取外せることを可能にした。【選択図】図１
2010131213.tif 000002
【特許請求の範囲】
【請求項１】
室内の水平部分を有する既設構造を受台として、棚板を載置し棚板上面を支柱に介してボルトによる押圧手段をもうけたことを特徴とする取付け棚の構造。
【発明の詳細な説明】
【技術分野】
【０００１】
本発明は、室内の既設構造物の長押、鴨居、柱、壁面、窓枠等を傷つけることなく取付け取外し可能な棚に関する。
【背景技術】
【０００２】
従来のこの種の棚は、窓台、窓枠、机のわずかな突き出し部を利用して差込勘合する棚（特許文献１参照。）や、支持点を壁面の突起物と他の支持点を壁面にもつ特徴の棚（特許文献２参照。）がある。
【０００３】
また、壁面を構成要件とせず、床から天井まで支柱を利用とする組立式棚（特許文献３参照。）や、支柱天井張り式上部整理棚（特許文献４参照。）がある。
【０００４】
その他に、コーナー用として、両壁面に押圧手段による棚（特許文献５参照。）や、摩擦係止板を壁面に加圧して取り付ける棚（特許文献６参照。）がある。
【０００５】
【特許文献１】特開平１１−３０９０２７号公報
【特許文献２】特開２０００−１０６９６４公報
【特許文献３】実用新案公報  第３０６９５８７号
【特許文献４】実用新案公報  実開平７−２８４４５号
【特許文献５】特開２００２−５８５５８号公報
【特許文献６】特開２００３−２９９５４０号公報
【発明の開示】
【発明が解決しようとする課題】
【０００６】
以上に述べた室内既設構造物の長押、鴨居、柱、壁面、窓枠等を傷つけることなく取付け可能な棚は、精密な構造のものや、特殊部品が必要なもの、構造が大掛かりなもの、また構造が複雑な問題があった。
【課題を解決するための手段】
【０００７】
そして、本発明は上記目的達成するため室内の水平部分を有する既設構造を受台として、棚板を載置し棚板上面を支柱に介してボルトによる押圧手段をもうけたことを特徴とする取付け棚の構造のものである。
【発明の効果】
【０００８】
上述したように本発明の棚は、くぎ、ビスの使用を禁止されている賃貸マンション、賃貸アパートにおいて、個人で簡単に取付け取外し可能な構造で、室内の既設構造物の長押、鴨居、柱、壁面、窓枠等を傷つけることのない棚を提供できる。
【発明を実施するための最良の形態】
【０００９】
本発明の実施の形態を図１〜図１０に基づいて説明する。
【００１０】
図１は、和室に取付けた棚を示した装置全体の斜視図である。本装置は、鴨居６を受台にし、廻縁３と棚板２の間に設けた支柱１に介したボルト８とナット９による棚板２の上面への押圧手段により棚を水平に保ち成り立っている。
【００１１】
図２は、図１の断面図を示しており棚板２の上面への支柱１による押圧手段の方法を説明する。支柱１に取付けられたナット９を回転させることでボルト８による棚板２の上面への押圧が可能となり棚板２を水平に保ち棚として機能する。
【実施例１】
【００１２】
棚板２は、任意の重量に耐えられる軽くて加工しやすく硬い材質、例えば、木材でできている。厚みは最低１５ｍｍ以上で２５ｍｍ位が望ましく奥行きは２００ｍｍから４００ｍｍ幅は４００ｍｍから６００ｍｍ位が適しているが棚板２を載置する受台の奥行きで検討することが望ましい。幅に関しては１８００ｍｍ位までは対応可能、又材質として工場や事務所では、プラチック形成、アルミ形成などがあげられるが和室には、美観に合わせた温もりのある木材の檜、杉なのが相応しい。洋間に関しては集成材等が相応しい。木材にウレタン樹脂系（ニス）などを塗布することにより耐久性を向上させることができる。
【００１３】
支柱１は、ナット９及びボルト８による棚板２の上面に十分な押圧を掛けられる強度の材質で例えば、木材でできている。角材のもので２０ｍｍから３０ｍｍ丸棒でも代用できる。又材質として工場や事務所では、プラチック形成、アルミ形成、パイプ、鋼管等あげられるが、和室には温もりのある木材、檜や杉が相応しい。洋間には壁面の色に合わせた塗装したものが相応しい。その他の支柱構造として伸縮可能なもの、ばね式構造による押圧（突っ張りポール等）がある。
【実施例２】
【００１４】
図３は、鴨居６を受台とし棚板２が滑動しないよう粘着テープ１４で棚板２と強固に固着し棚板２のお辞儀防止に棚受１０が棚板２にビスやくぎで取付けられていて棚にかかる荷重の強度を増した構造である。
【００１５】
図４は、鴨居６を受台とし棚板２が滑動しないようピン１６で棚板２と固着し棚板２のお辞儀防止に棚受１０が棚板２にビスやくぎで取付けられていて棚にかかる荷重の強度を増した構造である。
【００１６】
棚受１０は、棚板２を支えるのに十分な強度の材質で例えば、木材でできている。曲線は、棚受け持つ雰囲気を和らげる曲線美で楕円形状である。また木彫りや面取りを施し高級感をかもしだす事もできる。その他の材質は、プラチック形成、アルミ形成などがある。
【実施例３】
【００１７】
図５は、棚にかかる荷重強度を向上させた斜視図で、支柱１の変わりに支板１５、棚板２のお辞儀防止に受桟１１を取付けた図である。支板１５は、支柱１同様にボルト８やナット９が最低２個取付いており場合によっては３個４個と増設可能である。支板１５の材質に関して工場や事務所では、プラチック形成、アルミ形成があげられるが、和室には温もりのある木材、檜や杉が相応しい。洋間には壁面の色に合わせた塗装したものや壁紙を貼ったものが相応しい。受桟１１の材質に関して工場や事務所では、プラチック形成、アルミ形成、アクリル棒、パイプ、鋼管等あげられるが和室には温もりのある木材、檜や杉が相応しい。洋間には壁面の色に合わせた塗装したものや壁紙を貼ったものが相応しい。
【実施例４】
【００１８】
図６は、長押４構造のある和室に取付けた装置全体の斜視図である。本装置は、長押４を受台とし廻縁３と棚板２の間に設けた支柱１に介したボルト８とナット９による棚板２の上面への押圧手段により棚板２を水平に保ち棚として成り立っている。
【００１９】
図７は、図６の断面図であり長押４と壁面の隙間に棚板２の滑動防止の為、係止部材７を棚板２へ取付けている。
【００２０】
係止部材７は、棚板２の滑動を抑えるのに十分な強度で加工しやすく棚板２とビスやくぎ、接着剤等で固着しやすい材質例えば木材でできている。その他の材質では、プラチック形成や樹脂成形などがある。
【実施例５】
【００２１】
図８は、長押４を受台とし支柱１を２本、又棚受１０を２箇所取付けることにより棚板２にかかる荷重に対し強度を向上させた斜視図である。棚受１０は棚板２とビスやくぎ、接着剤等で固定されていて室内の既設構造の長押４には固定されていない。
【実施例６】
【００２２】
図９は、窓枠１２の上に取付けてあるカーテンレール１３を受台にして取付けた断面図で廻縁３と棚板２の間に設けた支柱１に介したボルト８とナット９による棚板２の上面への押圧手段と棚板２の滑動防止に係止部材７を取付けている。
【実施例７】
【００２３】
図１０は、窓枠１２を受台にして支柱１に介したボルト８とナット９による棚板２の上面への押圧手段で取付けた斜視図である。
【図面の簡単な説明】
【００２４】
【図１】本発明の実施形態を示し鴨居上を受台とした棚の斜視図である。
【図２】実施形態を示し鴨居上を受台とした断面図である。
【図３】実施例を示し鴨居上を受台とし棚の強度を向上させた断面図である。
【図４】実施例を示し鴨居上を受台とし棚の強度を向上させた断面図である。
【図５】実施例を示し鴨居上を受台とし棚の強度を向上させた斜視図である。
【図６】実施例を示し長押上を受台とした斜視図である。
【図７】実施例を示し長押上を受台とした断面図である。
【図８】実施例を示し長押上を受台とし棚の強度を向上させた斜視図である。
【図９】実施例を示しカーテンレール上を受台とした断面図である。
【図１０】実施例を示し窓枠上を受台とした斜視図である。
【符号の説明】
【００２５】
１  支柱
２  棚板
３  廻縁
４  長押
５  柱
６  鴨居
７  係止部材
８  ボルト
９  ナット
１０  棚受
１１  受桟
１２  窓枠
１３  カーテンレール
１４  粘着性テープ
１５  支板
１６  ピン
１７  アルミサッシ
１８  窓
１９  天井
【図１】
2010131213.tif 000003
【図２】
2010131213.tif 000004
【図３】
2010131213.tif 000005
【図４】
2010131213.tif 000006
【図５】
2010131213.tif 000007
【図６】
2010131213.tif 000008
【図７】
2010131213.tif 000009
【図８】
2010131213.tif 000010
【図９】
2010131213.tif 000011
【図１０】
2010131213.tif 000012